【手続補正書】
【提出日】平成28年9月1日(2016.9.1)
【手続補正１】
【補正対象書類名】明細書
【補正対象項目名】００３１
【補正方法】変更
【補正の内容】
【００３１】
この正電圧出力状態において、タイミングｔ１１で負の制御信号ＣＮＴＮ（波形Ａ３）がコントローラ３００から電圧供給部１３に供給される。ここで負の制御信号ＣＮＴＮのパラメータは、周波数１３ｋＨｚ，デューティ比９０％，振幅３．３Ｖである。このとき、負のトランスＴ１１の１次側電圧Ｖｉ＿ｎ（波形Ａ４）は０Ｖから所定の時定数を伴って２２Ｖに立ち上がる。１次側電圧Ｖｉ＿ｎの立ち上り時定数は、電解コンデンサＣ１２への充電時間などによって決まる。負バイアス回路２０１を急速に立ち上げるため、負のトランスＴ１１の１次側電圧Ｖｉ＿ｎとして、ターゲット値である第２の値（１８Ｖ）が最初には使用されない。その代わり、より絶対値の高い出力電圧が得られる第１の値（２２Ｖ）となるように、演算部３０１はＰＷＭ生成部３０４に対して負の制御信号ＣＮＴＮを設定する。第２の値（１８Ｖ）は、最終的な目標電圧（−１ｋＶ）に対応しており、第１の値（２２Ｖ）は、最終的な目標電圧よりも絶対値の大きな電圧（−２ｋＶ）に対応している。このように、１次側電圧Ｖｉ＿ｎを第２の値よりも大きな第１の値に設定することで、ＶＯＵＴを高速に変化させることが可能となる。ただし、この場合、アンダーシュートが発生しやすくなるため、途中で、第１の値（２２Ｖ）から第２の値（１８Ｖ）に切り替えられる。
【手続補正２】
【補正対象書類名】明細書
【補正対象項目名】００３２
【補正方法】変更
【補正の内容】
【００３２】
タイミングｔ１２で、トランスＴ１１の１次側の電解コンデンサＣ１２が十分に充電され、１次側電圧Ｖｉ＿ｎが２２Ｖで安定する。タイミングｔ１１からタイミングｔ１２までの時間は、電解コンデンサＣ１２が十分に充電される充電時間以上となるように予め決定されており、記憶部３０２に記憶されている。演算部３０１はカウンタ３０３を用いて各タイミングを管理する。タイミングｔ１２で、コントローラ３００は、正バイアス回路２０２を停止させると同時に、負バイアス回路２０１に出力を開始させる。まず、正の制御信号ＣＮＴＰと正のクロック信号ＣＬＫＰが停止する。それと同時に、負のクロック信号ＣＬＫＮがコントローラ３００から周波数５０ｋＨｚ，デューティ比２５％，振幅３．３Ｖで供給される（波形Ａ５）。負のクロック信号ＣＬＫＮは、この時点では”Ｈ”となっているチョッピング信号ＣＨＰ（波形Ａ６）とＡＮＤ回路ＩＣ１４が合成されて生成される。そのため、合成クロック信号ＮＣＬＫには負のクロック信号ＣＬＫＮがそのまま生成され出力される（波形Ａ７）。合成クロック信号ＮＣＬＫの入力によって、負のトランスＴ１１が動作し、出力端子電圧ＶＯＵＴは＋４ｋＶから降下し始める。出力端子電圧ＶＯＵＴの降下の時定数は、負の整流部１２がもつ時定数や、正の整流部２２に含まれる平滑用の高圧コンデンサＣ２４に残った残留電荷や負荷８の容量成分に残った残留電荷などに依存する。これに同期して、検知電圧Ｖｓｎｓも降下する（波形Ａ８）。なお、この時点で検知電圧Ｖｓｎｓと、負の基準電圧ＶＮ＿ＲＥＦ（ここでは０．７Ｖとする）の関係は、Ｖｓｎｓ  ＞  ＶＮ＿ＲＥＦのままである。
【手続補正３】
【補正対象書類名】明細書
【補正対象項目名】００４０
【補正方法】変更
【補正の内容】
【００４０】
さらに、実施例１では、負荷８に対して供給される電圧が正バイアスから負バイアスへ遷移する期間において、クロック信号が間引かれる。たとえば、検知電圧Ｖｓｎｓが基準電圧ＶＮ＿ＲＥＦに達すると、合成部１６がクロック信号の間引きを開始する。つまり、合成部１６がクロック信号ＣＬＫＮをチョッピングしてクロック信号が間引かれる。間引かれたクロック信号に応じてＦＥＴ Ｑ１３がトランスＴ１１をスイッチングすることによって負バイアスが目標電圧（０Ｖ，−１ｋＶ）に維持される。図４の合成クロック信号ＮＣＬＫ（波形Ａ７）に示されるように、正バイアスを出力する期間におけるＮＣＬＫの周期は、負バイアスに遷移する期間における周期よりも短くなる。これにより、安定した出力電圧の制御が実現される。なお、合成部１６は、クロック信号の間引き量を可変制御してもよい。たとえば、間引き量が徐々に削減されてもよい。なお、間引き量はコントローラ３００の演算部３０１によって合成部１６に指示されてもよい。
【手続補正４】
【補正対象書類名】明細書
【補正対象項目名】００５３
【補正方法】変更
【補正の内容】
【００５３】
タイミングｔ２４で、カウンタ３０３のカウント値が１０ｍｓｅｃになる（図１１中の矢印で示した期間）。演算部３０１は、カウント値が１０ｍｓｅｃになったことを認識すると、負のクロック信号ＣＬＫＮの間引きを開始する。たとえば、負のクロック信号ＣＬＫＮのデューティ比を２５％から０％に変更される。これにより、出力端子電圧ＶＯＵＴは目標値である−１ｋＶ付近で一旦降下が止まるが、まだ安定した出力状態ではない。そのため、タイミングｔ２４以降で、演算部３０１は、クロック生成部３０５を制御し、負のクロック信号ＣＬＫＮのデューティ比を０％から２５％に徐々に回復していく。この負のクロック信号ＣＬＫＮのデューティ比の回復シーケンスについても、正バイアスの出力電圧値に応じて予め複数の回復シーケンスが記憶部３０２に記憶されていてもよい。演算部３０１は、環境条件または正バイアスの出力電圧値にとって最も適している回復シーケンスを記憶部３０２から読み出して実行してもよい。これにより高精度の負バイアスの制御が可能になろう。
【手続補正５】
【補正対象書類名】明細書
【補正対象項目名】００１７
【補正方法】変更
【補正の内容】
【００１７】
画像形成装置において２次転写を良好に実行するためには、十分な転写電流をシートに流すことが重要である。転写電流は、画像形成装置が設置される環境（雰囲気）や、中間転写ベルトの抵抗値、２次転写ローラの抵抗値、シートの種類等に応じて変化するため、それに応じて２次転写電圧の値を変化させる必要がある。そのため、出力設定電圧Ｖｃ＿ｐの値は、コントローラ３００から供給される制御信号ＣＮＴＰによって変更可能となっている。この出力設定電圧Ｖｃ＿ｐの値を変化させることで、出力端子７の出力端子電圧ＶＯＵＴを、たとえば、０Ｖから＋４ｋＶまでの範囲で制御することができる。出力設定電圧Ｖｃ＿ｐの値を変更する方法としては、たとえば、コントローラ３００から出力された信号を整流平滑して出力設定電圧Ｖｃ＿ｐとして用いる方法がある。あるいは、コントローラ３００から出力されたデジタルデータ信号を、ＤＡコンバータを介してアナログ値へ変換して出力設定電圧Ｖｃ＿ｐとする方法が採用されてもよい。図２は前者の回路を示している。
【手続補正６】
【補正対象書類名】特許請求の範囲
【補正対象項目名】請求項４
【補正方法】変更
【補正の内容】
【請求項４】
前記第１電源部は、
前記負荷に供給される電圧を検知する電圧検知手段と、
前記制御手段によって設定された基準電圧と前記電圧検知手段により検知された電圧とを比較する比較手段と、
前記比較手段の比較結果に応じて前記クロック信号を間引く間引き手段と
を有し、
前記間引き手段は、前記電圧検知手段により検知された電圧が前記基準電圧に達すると、前記クロック信号の間引きを開始することを特徴とする請求項１ないし３のいずれか１項に記載の電圧発生装置。
【手続補正７】
【補正対象書類名】特許請求の範囲
【補正対象項目名】請求項１２
【補正方法】変更
【補正の内容】
【請求項１２】
トナー像を像担持体からシートに転写する転写手段と、
前記転写手段に転写電圧またはクリーニング電圧を印加する印加手段と
を有し、
前記印加手段として、請求項１ないし１１のいずれか１項に記載の電圧発生装置が用いられ、前記印加手段は前記第１極性の直流電圧を前記クリーニング電圧として前記転写手段に印加し、前記第２極性の直流電圧を前記転写電圧として前記転写手段に印加することを特徴とする画像形成装置。